(57)【要約】【課題】支持部に支持される媒体を押さえることが可能な押さえ部を備える媒体支持ユニットにおいて、媒体の浮きを抑制する。【解決手段】媒体Ｍを支持可能な支持部４と、支持部４に支持される媒体Ｍを押さえることが可能な押さえ部１０と、を備え、押さえ部１０における媒体Ｍとの接触面１１ａ及び１１ｂは、支持部４における媒体Ｍとの接触面８、１３ａ及び１６よりも、静止摩擦係数が大きいことを特徴とする媒体支持ユニット２。このような構成の媒体支持ユニット２とすることで、媒体Ｍの浮き１２を抑制することができる。【選択図】図５
2016155272.tif 000002
【特許請求の範囲】
【請求項１】
媒体を支持可能な支持部と、
前記支持部に支持される前記媒体を押さえることが可能な押さえ部と、を備え、
前記押さえ部における前記媒体との接触面は、前記支持部における前記媒体との接触面よりも、静止摩擦係数が大きいことを特徴とする媒体支持ユニット。
【請求項２】
請求項１に記載の媒体支持ユニットにおいて、
前記押さえ部における前記媒体との接触面は、軟質の高分子物質で形成されていることを特徴とする媒体支持ユニット。
【請求項３】
請求項１又は２に記載の媒体支持ユニットにおいて、
前記押さえ部における前記媒体との接触面には、凹凸が形成されていることを特徴とする媒体支持ユニット。
【請求項４】
請求項１から３のいずれか１項に記載の媒体支持ユニットにおいて、
前記押さえ部における前記媒体との接触面には、前記支持部における前記媒体との接触面よりも静止摩擦係数が大きい、塗装層が形成されていることを特徴とする媒体支持ユニット。
【請求項５】
請求項１から４のいずれか１項に記載の媒体支持ユニットにおいて、
前記支持部における前記媒体との接触面は、硬質の高分子物質で形成されていることを特徴とする媒体支持ユニット。
【請求項６】
請求項１から５のいずれか１項に記載の媒体支持ユニットにおいて、
前記押さえ部の表面全体において、前記支持部における前記媒体との接触面よりも、静止摩擦係数が大きいことを特徴とする媒体支持ユニット。
【請求項７】
請求項１から６のいずれか１項に記載の媒体支持ユニットと、
前記媒体支持ユニットに支持された前記媒体に記録可能な記録部と、
を備えることを特徴とする記録装置。
【請求項８】
媒体を支持可能な支持部と、前記支持部に支持される前記媒体を押さえることが可能な押さえ部と、を備える媒体支持ユニットにおける媒体支持方法であって、
前記押さえ部における前記媒体との接触面を、前記支持部における前記媒体との接触面よりも、静止摩擦係数を大きくすることを特徴とする媒体支持方法。
【発明の詳細な説明】
【技術分野】
【０００１】
本発明は、媒体支持ユニット、記録装置及び媒体支持方法に関する。
【背景技術】
【０００２】
従来から、支持部に支持される媒体を押さえることが可能な押さえ部を備える媒体支持ユニットが使用されている。押さえ部で媒体を押さえることで媒体の浮きを抑制してセットすることが可能になる。  
例えば、特許文献１には、支持部としてのプラテンと、プラテンに支持された媒体を押さえることが可能な押さえ部としての固定フレームと、を備える媒体支持ユニットをそなえる記録装置（インクジェットプリンタ）が開示されている。ここで、固定フレームの内面には、ゴム製の滑り止め部材が形成されている。
【先行技術文献】
【特許文献】
【０００３】
【特許文献１】特開２００４−２９１４６１号公報
【発明の概要】
【発明が解決しようとする課題】
【０００４】
本発明者らが鋭意検討した結果、支持部に支持される媒体を押さえることが可能な押さえ部を備える媒体支持ユニットにおいて媒体の浮きを抑制するためには、押さえ部における媒体との接触面と、支持部における媒体との接触面との、静止摩擦係数の関係が重要であることがわかった。  
しかしながら、特許文献１には、押さえ部における媒体との接触面と、支持部における媒体との接触面との、静止摩擦係数の関係が記載されていない。このため、特許文献１で開示されている記録装置（インクジェットプリンタ）の媒体支持ユニットでは、媒体の浮きを抑制しきれない虞があると考えられる。
【０００５】
そこで、本発明の目的は、支持部に支持される媒体を押さえることが可能な押さえ部を備える媒体支持ユニットにおいて、媒体の浮きを抑制することを目的にする。
【課題を解決するための手段】
【０００６】
上記課題を解決するための本発明の第１の態様の媒体支持ユニットは、媒体を支持可能な支持部と、前記支持部に支持される前記媒体を押さえることが可能な押さえ部と、を備え、前記押さえ部における前記媒体との接触面は、前記支持部における前記媒体との接触面よりも、静止摩擦係数が大きいことを特徴とする。
【０００７】
本発明の第２の態様の媒体支持ユニットは、前記第１の態様において、前記押さえ部における前記媒体との接触面は、軟質の高分子物質で形成されていることを特徴とする。
【０００８】
本発明の第３の態様の媒体支持ユニットは、前記第１又は第２の態様において、前記押さえ部における前記媒体との接触面には、凹凸が形成されていることを特徴とする。
【０００９】
本発明の第４の態様の媒体支持ユニットは、前記第１から第３のいずれか１つの態様において、前記押さえ部における前記媒体との接触面には、前記支持部における前記媒体との接触面よりも静止摩擦係数が大きい、塗装層が形成されていることを特徴とする。
【００１０】
本発明の第５の態様の媒体支持ユニットは、前記第１から第４のいずれか１つの態様において、前記支持部における前記媒体との接触面は、硬質の高分子物質で形成されていることを特徴とする。
【００１１】
本発明の第６の態様の媒体支持ユニットは、前記第１から第５のいずれか１つの態様において、前記押さえ部の表面全体において、前記支持部における前記媒体との接触面よりも、静止摩擦係数が大きいことを特徴とする。
【００１２】
本発明の第７の態様の記録装置は、前記第１から第６のいずれか１つの態様の媒体支持ユニットと、前記媒体支持ユニットに支持された前記媒体に記録可能な記録部と、を備えることを特徴とする。
【００１３】
本発明の第８の態様の媒体支持方法は、媒体を支持可能な支持部と、前記支持部に支持される前記媒体を押さえることが可能な押さえ部と、を備える媒体支持ユニットにおける媒体支持方法であって、前記押さえ部における前記媒体との接触面を、前記支持部における前記媒体との接触面よりも、静止摩擦係数を大きくすることを特徴とする。
【発明の効果】
【００１４】
本発明によれば、支持部に支持される媒体を押さえることが可能な押さえ部を備える媒体支持ユニットにおいて、媒体の浮きを抑制することができる。
【図面の簡単な説明】
【００１５】
【図１】本発明の一実施例に係る記録装置の概略斜視図。
【図２】本発明の一実施例に係る記録装置の概略斜視図。
【図３】本発明の一実施例に係る記録装置の概略正面図。
【図４】本発明の一実施例に係る媒体支持ユニットを表す概略斜視図。
【図５】本発明の一実施例に係る媒体支持ユニットを表す概略側面断面図。
【図６】比較例の媒体支持ユニットを表す概略側面断面図。
【発明を実施するための形態】
【００１６】
以下に、本発明の一実施例に係る媒体支持ユニット２、並びに、該媒体支持ユニット２を備えた一実施例に係る記録装置１について、添付図面を参照して詳細に説明する。  
最初に、本実施例の記録装置１の概要について説明する。  
図１及び図２は本発明の一実施例に係る記録装置１の概略斜視図であり、このうち図１は本実施例の記録装置１の媒体Ｍ（図４参照）の支持部としてのトレイ４が記録開始位置にある状態、図２はトレイ４が媒体Ｍのセット位置にある状態を表している。  
また、図３は、本実施例の記録装置１の概略正面図である。
【００１７】
本実施例の記録装置１は、媒体Ｍをトレイ４の支持面８で支持した状態で移動方向Ａに移動する媒体支持ユニット２を備えている。媒体支持ユニット２は、媒体Ｍの支持部であるトレイ４を有している。記録装置１は、トレイ４に支持された媒体Ｍを移動方向Ａに搬送する媒体搬送部３を備えている。移動方向Ａは、方向Ａ１と、方向Ａ１と反対方向の方向Ａ２と、を含む方向である。また、トレイ４はステージ５に載置されている。トレイ４はステージ５と共に、回転レバー９を回転させることにより、高さ方向Ｃに移動する。なお、媒体Ｍとしては、テキスタイル（織物、布等）、紙、塩化ビニル樹脂など、種々の素材のものを用いることができる。
【００１８】
また、記録装置１の本体内部にはインクを吐出して媒体Ｍに記録することが可能な記録ヘッド７が備えられている。本実施例において、記録ヘッド７は、媒体Ｍに記録を実行可能な記録部に相当する。そして、本実施例の記録装置１は、記録ヘッド７が設けられたキャリッジ６を移動方向Ａと交差する交差方向Ｂに往復移動させることで、記録ヘッド７を交差方向Ｂに往復移動させながら、記録ヘッド７からトレイ４に支持された媒体Ｍにインクを吐出させて所望の画像を形成する。  
なお、本実施例の記録装置１は、図１及び図２中の手前側（左下方向）がトレイ４への媒体Ｍのセット位置（図２に対応）である。そして、図１及び図２中の奥側（右上方向）の記録開始位置（図１に対応）まで移動方向Ａのうちの方向Ａ１に媒体Ｍをセットしたトレイ４を移動した後、移動方向Ａのうちの方向Ａ２にトレイ４を移動しながら記録する。
【００１９】
なお、本実施例の記録装置１は、交差方向Ｂに往復移動しながら記録する記録ヘッド７を備えているが、インクを吐出するノズルを移動方向Ａと交差する交差方向Ｂに複数設けた所謂ラインヘッドを備える記録装置でもよい。  
ここで、「ラインヘッド」とは、媒体Ｍの移動方向Ａと交差する交差方向Ｂに形成されたノズルの領域が、媒体Ｍの交差方向Ｂ全体をカバー可能なように設けられ、記録ヘッド又は媒体Ｍを相対的に移動させて画像を形成する記録装置に用いられる記録ヘッドである。なお、ラインヘッドの交差方向Ｂのノズルの領域は、記録装置が対応している全ての媒体Ｍの交差方向Ｂ全体をカバー可能でなくてもよい。  
また、本実施例の記録ヘッド７は、媒体Ｍにインクを吐出することで記録可能な記録部であるが、このような記録部に限定されず、例えば、色材を媒体Ｍに転写して記録する転写式の記録部を使用してもよい。
【００２０】
また、本実施例の記録装置１は、図３で表されるように、センサーＳを備えており、トレイ４に支持される媒体Ｍと記録ヘッド７との間隔の異常（媒体Ｍと記録ヘッド７との間隔が狭すぎること）の有無を検出することができる構成になっている。  
ここで、センサーＳは、発光部Ｓｅと受光部Ｓｒとを有している。そして、センサーＳは、発光部Ｓｅから受光部Ｓｒに向けて光を照射し、受光部Ｓｒで該光を受光したか否かに基づいて、該間隔の異常の有無を検出する構成である。ただし、このような構成に限定はない。
【００２１】
次に、本発明の一実施例の媒体支持ユニット２について詳細に説明する。  
ここで、図４は、本実施例の媒体支持ユニット２を表す概略斜視図である。また、図５は、本実施例の媒体支持ユニット２を表す概略側面断面図である。  
一方、図６は、比較例の媒体支持ユニットを表す概略側面断面図であり、本実施例の媒体支持ユニット２を表す図５に対応する図である。
【００２２】
本実施例の媒体支持ユニット２は、図４及び図５で表されるように、媒体Ｍを支持可能な支持部としてのトレイ４と、トレイ４に支持される媒体Ｍを押さえることが可能な枠状の押さえ部１０と、を備えている。  
そして、押さえ部１０における媒体Ｍとの接触面である庇部１１の下面１１ａ及び側面１１ｂは、トレイ４における媒体Ｍとの接触面である支持面８、縁部１３の上面１３ａ及び支持面８の側面１６よりも、静止摩擦係数が大きくなるように構成されている。言い換えれば、押さえ部１０における媒体Ｍとの接触面の静止摩擦係数が、支持部４における媒体Ｍとの接触面の静止摩擦係数よりも大きい構成となっている。  
本発明者らが鋭意検討した結果、押さえ部１０における媒体Ｍとの接触面を、トレイ４における媒体Ｍとの接触面よりも、静止摩擦係数を大きくすることで、媒体Ｍの浮き１２を抑制することができることを見出した。  
このように、本実施例の媒体支持ユニット２は、押さえ部１０における媒体Ｍとの接触面がトレイ４における媒体Ｍとの接触面よりも静止摩擦係数が大きくなるように構成されているので、媒体Ｍの浮き１２を抑制することができる構成になっている。  
また、別の表現をすると、本実施例の記録装置１は媒体Ｍの浮き１２を抑制して記録することができる構成になっている。
【００２３】
また、さらに別の表現をすると、本実施例の媒体支持ユニット２を用い、押さえ部１０における媒体Ｍとの接触面を、トレイ４における媒体Ｍとの接触面よりも、静止摩擦係数を大きくすることで、媒体の浮きを抑制することができる。
【００２４】
ここで、図５（Ａ）は、本実施例の媒体支持ユニット２において、図４で表される状態（媒体Ｍをトレイ４にセットしようとしている状態）から媒体Ｍを載置したトレイ４に対して押さえ部１０を組み合わせた状態であって、この際、方向Ａ２の上流側に浮き１２が生じてしまった状態を表している。  
また、図５（Ｂ）は、図５（Ａ）で表される状態から、作業者が、方向Ａ２の下流側の位置（図１及び図２中の記録装置１の手前側（紙面の左下方向）の位置）で、媒体Ｍを方向Ｆ１に引っ張り、浮き１２を解消させたときの状態を表している。  
このように、本実施例の媒体支持ユニット２においては、媒体Ｍが方向Ｆ１に引っ張られることに伴い、支持面８上の媒体Ｍが方向Ｆ２に移動して浮き１２は解消される。これは、押さえ部１０における媒体Ｍとの接触面をトレイ４における媒体Ｍとの接触面よりも静止摩擦係数を大きくすることで、方向Ａ２の上流側で押さえ部１０により確りと押さえられた状態で媒体Ｍが引っ張られることにより、支持面８上の媒体Ｍのみが方向Ｆ２に移動するためである。
【００２５】
一方、図６（Ａ）は、押さえ部１０における媒体Ｍとの接触面がトレイ４における媒体Ｍとの接触面よりも静止摩擦係数が小さい、比較例の媒体支持ユニットである。この図６（Ａ）は、比較例の媒体支持ユニットにおいて、図４で表される状態から媒体Ｍを載置したトレイ４に対して押さえ部１０を組み合わせた状態であって、この際、方向Ａ２の上流側に浮き１２が生じてしまった状態を表している。なお、この状態は、図５（Ａ）の状態と同様の状態である。  
また、図６（Ｂ）及び（Ｃ）は共に、図６（Ａ）で表される状態から、作業者が、方向Ａ２の下流側の位置（図１及び図２中の記録装置１の手前側（紙面の左下方向）の位置）で、媒体Ｍを方向Ｆ１に引っ張り、浮き１２を解消させようとした後の状態を表している。  
このうち、図６（Ｂ）は、トレイ４における媒体Ｍとの接触面の静止摩擦係数が大きすぎる場合を表している。図６（Ａ）で表される状態から、作業者が、媒体Ｍを方向Ｆ１に引っ張っても支持面８上の媒体Ｍが移動せず、浮き１２を解消できなかった状態を表している。  
また、図６（Ｃ）は、押さえ部１０における媒体Ｍとの接触面の静止摩擦係数が小さすぎる場合を表している。図６（Ａ）で表される状態から、作業者が媒体Ｍを方向Ｆ１に引っ張ることに伴って媒体Ｍ全体が方向Ｆ２に移動し、浮き１２の位置が移動したに過ぎなかった状態（浮き１２を解消できなかった状態）を表している。これは、媒体Ｍには浮きやすい部分がある場合があるが、押さえ部１０における媒体Ｍとの接触面において媒体Ｍが滑り、該部分を両側から適正な張力で引っ張ることができないと、浮き１２は解消しづらいことによるものである。  
このように、押さえ部１０における媒体Ｍとの接触面がトレイ４における媒体Ｍとの接触面よりも静止摩擦係数が小さい比較例の媒体支持ユニットにおいては、トレイ４における媒体Ｍとの接触面の静止摩擦係数が大きすぎる場合、押さえ部１０における媒体Ｍとの接触面の静止摩擦係数が小さすぎる場合のいずれにおいても、浮き１２の解消は困難であった。
【００２６】
また、本実施例の押さえ部１０は、表面全体が静止摩擦係数の大きいゴム素材で形成されている。すなわち、別の表現をすると、押さえ部１０における媒体Ｍとの接触面は、軟質の高分子物質で形成されている。このため、媒体Ｍの浮き１２を効果的に抑制することができる構成になっている。  
ここで、「軟質の高分子物質」として、例えば、ウレタンゴムやシリコーンゴムなどのゴム素材、並びに、粘着性を有する高分子物質などを使用することができるが、特に限定はない。  
なお、本実施例の押さえ部１０は、金属製の骨組みの表面をゴム素材で覆う構成であるが、このような構成に限定されない。例えば、内部を含め押さえ部１０の全体を軟質の高分子物質で形成してもよい。
【００２７】
また、押さえ部１０における媒体Ｍとの接触面に、凹凸が形成されていてもよい。すなわち、押さえ部１０における媒体Ｍとの接触面に、静止摩擦係数を大きくするための表面処理がなされていてもよい。静止摩擦係数を大きくするための表面処理がなされていることで、媒体Ｍの浮き１２を効果的に抑制することができるためである。  
なお、「凹凸」の形成方法に特に限定はないが、例えば、ブラスト加工をすることなどにより、押さえ部１０における媒体Ｍとの接触面に凹凸を形成することができる。
【００２８】
また、押さえ部１０における媒体Ｍとの接触面に、トレイ４における媒体Ｍとの接触面よりも静止摩擦係数が大きい、塗装層が形成されていてもよい。すなわち、押さえ部１０における媒体Ｍとの接触面に、静止摩擦係数を大きくするための、焼き付けシボ塗装などの塗装がなされていてもよい。静止摩擦係数を大きくするための塗装がなされていることで、媒体Ｍの浮き１２を効果的に抑制することができるためである。  
なお、「塗装層」の形成方法に特に限定はないが、例えば、焼き付けシボ塗装などをすることができる。
【００２９】
また、本実施例のトレイ４は、全体が静止摩擦係数の小さい硬質の高分子物質であるアクリル樹脂で形成されている。すなわち、別の表現をすると、トレイ４における媒体Ｍとの接触面は、硬質の高分子物質で形成されている。このため、例えば、媒体Ｍをトレイ４にセットする際などにおいて、媒体Ｍの浮き１２を簡単に解消することができる。  
ここで、「硬質の高分子物質」に特に限定はないが、アクリル樹脂のほか、例えば、ポリエチレン、ポリプロピレン、ポリスチレン、ポリエチレンテレフタラートなどを使用することができる。
【００３０】
また、上記のように、本実施例の押さえ部１０は、表面全体が静止摩擦係数の大きいゴム素材で形成されており、押さえ部１０の表面全体において、トレイ４における媒体Ｍとの接触面よりも、静止摩擦係数が大きい。このため、媒体Ｍの浮き１２を抑制することができるだけでなく、押さえ部１０を作業者が持つ際に滑りづらくなるため、作業者が媒体支持ユニット２に媒体Ｍを支持させる際などの作業性を向上させることができる構成になっている。ただし、押さえ部１０の表面の一部の静止摩擦係数が、トレイ４における媒体Ｍとの接触面の静止摩擦係数以下であってもよい。この場合であっても、少なくとも、押さえ部１０における媒体Ｍとの接触面全体の静止摩擦係数が、トレイ４における媒体Ｍとの接触面の静止摩擦係数より大きいことが好ましい。これにより、押さえ部１０の表面の全体の静止摩擦係数が、トレイ４における媒体Ｍとの接触面の静止摩擦係数より大きい構成とならない場合においても、媒体Ｍの浮き１２を抑制することができる。
【００３１】
なお、図４で表されるように、本実施例のトレイ４には、ステージ５から取り外して床などに設置する際の設置部１４と、ステージ５に対して位置決め可能な位置決め部１５とを備えている。ただし、トレイ４の構成に特に限定はない。
【００３２】
なお、本発明は上記実施例に限定されることなく、特許請求の範囲に記載した発明の範囲内で種々の変形が可能であり、それらも本発明の範囲内に含まれることは言うまでもない。  
以上、本発明について具体的な実施例に基づいて詳述した。ここで、本発明について、もう一度まとめて説明する。
【００３３】
本発明の第１の態様の媒体支持ユニット２は、媒体Ｍを支持可能な支持部４と、支持部４に支持される媒体Ｍを押さえることが可能な押さえ部１０と、を備え、押さえ部１０における媒体Ｍとの接触面１１ａ及び１１ｂは、支持部４における媒体Ｍとの接触面８、１３ａ及び１６よりも、静止摩擦係数が大きいことを特徴とする。
【００３４】
本発明者らが鋭意検討した結果、押さえ部１０における媒体Ｍとの接触面１１ａ及び１１ｂを、支持部４における媒体Ｍとの接触面８、１３ａ及び１６よりも、静止摩擦係数を大きくすることで、媒体Ｍの浮き１２を抑制することができることを見出した。  
本態様によれば、押さえ部１０における媒体Ｍとの接触面１１ａ及び１１ｂは、支持部４における媒体Ｍとの接触面８、１３ａ及び１６よりも、静止摩擦係数が大きい。このため、媒体Ｍの浮き１２を抑制することができる。
【００３５】
本発明の第２の態様の媒体支持ユニット２は、前記第１の態様において、押さえ部１０における媒体Ｍとの接触面１１ａ及び１１ｂは、軟質の高分子物質で形成されていることを特徴とする。
【００３６】
本態様によれば、押さえ部１０における媒体Ｍとの接触面１１ａ及び１１ｂは、軟質の高分子物質で形成されている。すなわち、押さえ部１０における媒体Ｍとの接触面１１ａ及び１１ｂは、一般的に静止摩擦係数が大きいゴム素材などの軟質の高分子物質で形成されている。このため、媒体Ｍの浮き１２を効果的に抑制することができる。  
なお、「軟質の高分子物質」に特に限定はないが、例えば、ウレタンゴムやシリコーンゴムなどのゴム素材、並びに、粘着性を有する高分子物質などを使用することができる。
【００３７】
本発明の第３の態様の媒体支持ユニット２は、前記第１又は第２の態様において、押さえ部１０における媒体Ｍとの接触面１１ａ及び１１ｂには、凹凸が形成されていることを特徴とする。
【００３８】
本態様によれば、押さえ部１０における媒体Ｍとの接触面１１ａ及び１１ｂには、凹凸が形成されている。すなわち、押さえ部１０における媒体Ｍとの接触面１１ａ及び１１ｂは、静止摩擦係数を大きくするための表面処理がなされている。このため、媒体Ｍの浮き１２を効果的に抑制することができる。  
なお、「凹凸」の形成方法に特に限定はないが、例えば、ブラスト加工をすることなどにより、押さえ部１０における媒体Ｍとの接触面１１ａ及び１１ｂに凹凸を形成することができる。
【００３９】
本発明の第４の態様の媒体支持ユニット２は、前記第１から第３のいずれか１つの態様において、押さえ部１０における媒体Ｍとの接触面１１ａ及び１１ｂには、支持部４における媒体Ｍとの接触面８、１３ａ及び１６よりも静止摩擦係数が大きい、塗装層が形成されていることを特徴とする。
【００４０】
本態様によれば、押さえ部１０における媒体Ｍとの接触面１１ａ及び１１ｂには、支持部４における媒体Ｍとの接触面８、１３ａ及び１６よりも静止摩擦係数が大きい、塗装層が形成されている。このため、媒体Ｍの浮き１２を効果的に抑制することができる。  
なお、「塗装層」の形成方法に特に限定はないが、例えば、焼き付けシボ塗装などをすることができる。
【００４１】
本発明の第５の態様の媒体支持ユニット２は、前記第１から第４のいずれか１つの態様において、支持部４における媒体Ｍとの接触面８、１３ａ及び１６は、硬質の高分子物質で形成されていることを特徴とする。
【００４２】
本態様によれば、支持部４における媒体Ｍとの接触面８、１３ａ及び１６は、硬質の高分子物質で形成されている。すなわち、支持部４における媒体Ｍとの接触面８、１３ａ及び１６は、一般的に静止摩擦係数が小さい硬質の高分子物質で形成されている。このため、例えば、媒体Ｍを支持部４にセットする際などにおいて、媒体Ｍの浮き１２を簡単に解消することができる。  
なお、「硬質の高分子物質」に特に限定はないが、例えば、アクリル樹脂、ポリエチレン、ポリプロピレン、ポリスチレン、ポリエチレンテレフタラートなどを使用することができる。
【００４３】
本発明の第６の態様の媒体支持ユニット２は、前記第１から第５のいずれか１つの態様において、押さえ部１０の表面全体において、支持部４における媒体Ｍとの接触面８、１３ａ及び１６よりも、静止摩擦係数が大きいことを特徴とする。
【００４４】
本態様によれば、押さえ部１０の表面全体において、支持部４における媒体Ｍとの接触面８、１３ａ及び１６よりも、静止摩擦係数が大きい。このため、媒体Ｍの浮き１２を抑制することができるだけでなく、押さえ部１０を作業者が持つ際に滑りづらくなるため、作業者が媒体支持ユニット２に媒体Ｍを支持させる際などの作業性を向上させることができる。
【００４５】
本発明の第７の態様の記録装置１は、前記第１から第６のいずれか１つの態様の媒体支持ユニット２と、媒体支持ユニット２に支持された媒体Ｍに記録可能な記録部７と、を備えることを特徴とする。
【００４６】
本態様によれば、媒体Ｍの浮き１２を抑制して記録することができる。
【００４７】
本発明の第８の態様の媒体支持方法は、媒体Ｍを支持可能な支持部４と、支持部４に支持される媒体Ｍを押さえることが可能な押さえ部１０と、を備える媒体支持ユニット２における媒体支持方法であって、押さえ部１０における媒体Ｍとの接触面１１ａ及び１１ｂを、支持部４における媒体Ｍとの接触面８、１３ａ及び１６よりも、静止摩擦係数を大きくすることを特徴とする。
【００４８】
本態様によれば、押さえ部１０における媒体Ｍとの接触面１１ａ及び１１ｂを、支持部４における媒体Ｍとの接触面８、１３ａ及び１６よりも、静止摩擦係数を大きくする。このため、媒体Ｍの浮き１２を抑制することができる。
【符号の説明】
【００４９】
１  記録装置、２  媒体支持ユニット、３  媒体搬送部、４  トレイ（支持部）、
５  ステージ、６  キャリッジ、７  記録ヘッド（記録部）、
８  第１面（支持部４における媒体Ｍとの接触面）、
９  回転レバー、１０  押さえ部、１１  庇部、
１１ａ  庇部１１の下面（押さえ部１０における媒体Ｍとの接触面）、
１１ｂ  庇部１１の側面（押さえ部１０における媒体Ｍとの接触面）、
１２  媒体Ｍの浮き、１３  トレイ４の縁部、
１３ａ  縁部１３の上面（支持部４における媒体Ｍとの接触面）、１４  設置部、
１５  位置決め部、１６  支持面８の側面（支持部４における媒体Ｍとの接触面）、
Ｍ  媒体、Ｓ  センサー、Ｓｅ  発光部、Ｓｒ  受光部
【図１】
2016155272.tif 000003
【図２】
2016155272.tif 000004
【図３】
2016155272.tif 000005
【図４】
2016155272.tif 000006
【図５】
2016155272.tif 000007
【図６】
2016155272.tif 000008